(57)【要約】【課題】送出機構より上方の球通路部であっても、その中での球詰まりの解消や異物の除去が簡単に行なえ、更に、球通路部内の隅角部の掃除も容易に行なえる弾球遊技機の球払出装置を提供する。【解決手段】遊技球を流下させる球通路部９と該球通路部９を流下する遊技球を所定数に区切って排出する送出機構２７とが配設される弾球遊技機Ｐの球払出装置６であって、前記送出機構２７より上方の前記球通路部９の通路壁に外部と連通し該球通路内の球詰まりを解消したり異物を除去するための開口溝４６を開設した構成からなる。【選択図】図３
2006247142.tif 000002
【特許請求の範囲】
【請求項１】
遊技球を流下させる球通路部と該球通路部を流下する遊技球を排出する送出機構とが配設される弾球遊技機の球払出装置であって、
前記送出機構より上方の前記球通路部の通路壁に外部と連通し該球通路内の球詰まりを解消したり異物を除去するための開口溝を開設したことを特徴とする弾球遊技機の球払出装置。
【請求項２】
前記球通路部は通路幅方向の断面が方形状をなし、前記開口溝は前記球通路部内の隅角部に隣り合う通路壁が共に切除されるようにして開設された請求項１記載の弾球遊技機の球払出装置。
【請求項３】
前記開口溝を開閉自在な蓋部材により被着した請求項１又は２記載の弾球遊技機の球払出装置。
【発明の詳細な説明】
【技術分野】
【０００１】
本発明は、パチンコ遊技機等の弾球遊技機における球払出装置に関するものである。
【背景技術】
【０００２】
従来、弾球遊技機であるパチンコ遊技機の球払出装置は、ケース本体内に遊技球が流下する球通路部と該球通路部に臨み該球通路部を流下する遊技球を所定数に区切って排出する送出機構としてのスプロケットとが配設されている。そして、例えば入賞球が発生した場合、その入賞球を検出して前記スプロケットを所定角度回転させることにより、所定量の遊技球を払い出すようになっている。また、前記ケース本体の外周面には、送出機構より下方の球通路部に対応位置させて外部と連通する開口部が開設されている。この開口部は、例えば前記球通路部内の球詰まりに対処しかつゴミを掃き出すためにある（例えば、特許文献１参照。）。
【特許文献１】特開平０６−１５４４０２号公報（第３頁段落００１２、図３）
【発明の開示】
【発明が解決しようとする課題】
【０００３】
しかしながら、前記特許文献１のパチンコ遊技機の球払出装置では、開口部が送出機構より下方の球通路部に開設されているが、実際には送出機構より上方の球通路部内で球詰まりが起こったり異物が詰まっている。このため、仮に送出機構より上方の球通路部で球詰まりが起こったり異物が詰まると、前記開口部からでは離れており球詰まりを解消したり異物を除去することが難しい。特に、球通路部が屈曲しているとなおさらである。また、前記開口部は球通路部の通路幅方向のほぼ中央に位置していることから、球通路部内を掃除する場合、その近傍の球通路部の隅角部は死角になって非常に掃除し難いという課題がある。
【０００４】
そこで、本発明は上記課題を解決すべくなされたもので、送出機構より上方の球通路部であっても、該球通路部内の球詰まりの解消や異物の除去が容易に行なえ、更に、球通路部内の隅角部の掃除も簡単に行なえるようにした弾球遊技機の球払出装置を提供することを目的とするものである。
【課題を解決するための手段】
【０００５】
かかる目的を達成するため本発明の弾球遊技機の球払出装置は、遊技球を流下させる球通路部と該球通路部を流下する遊技球を排出する送出機構とが配設される弾球遊技機の球払出装置であって、前記送出機構より上方の球通路部の通路壁に外部と連通し該球通路内の球詰まりを解消したり異物を除去するための開口溝を開設した構成からなる。
【０００６】
この際、前記球通路部は通路幅方向の断面が方形状をなし、前記開口溝は球通路部内の隅角部に隣り合う通路壁が共に切除されるようにして開設されることが好ましい。
【０００７】
また、前記開口溝を開閉自在な蓋部材により被着することが好ましい。
【発明の効果】
【０００８】
本発明に係る弾球遊技機の球払出装置は、送出機構より上方の球通路部の通路壁に外部と連通する開口溝を開設したので、前記送出機構よりも上方の球通路部内で球詰まりが起きたり異物が詰まっても、線状物等の掃除具が容易に届き前記球詰まりが容易に解消できるばかりか異物の除去も簡単に行なえるという効果がある。
【０００９】
また、球通路部の通路幅方向の断面が方形状をなし、開口溝を球通路部内の隅角部に隣り合う通路壁が共に切除されるようにして開設すれば、開口溝両側の隣り合う通路壁の内面を含め全体に掃除具が届き、球通路部内の掃除が容易にかつ綺麗に行なえるという効果がある。
【００１０】
更に、開口溝に蓋部材を開閉自在に被着するようにすれば、常には蓋部材により開口溝が塞がれそこから球通路部内へゴミが侵入するのを阻止でき、また、蓋部材を外すことにより球通路部内の掃除が簡単に行なえることになり、極めて至便であるという効果がある。このとき、蓋部材には流下する遊技球の球荷重が掛からないように前記開口溝の溝幅が設定される。
【発明を実施するための最良の形態】
【００１１】
以下、本発明に係る弾球遊技機の球払出装置の実施の形態を図面に基き説明する。本発明は、パチンコ遊技機、アレンジボール機、雀球機、等の遊技機に適用されるが、本発明ではこの内、パチンコ遊技機について説明する。図１は本発明が適用されるパチンコ遊技機の背面図である。
【００１２】
図中、１は遊技盤２が取り付けられるプラスチック製枠状のベース部材、３はベース部材１に取り付けられ景品用の遊技球が貯留される球タンク、４は該球タンク３の下流に設けられた傾斜樋で、該傾斜樋４の下端部には遊技球を下向きに案内するエルボ形の球誘導筒５が形成されている。６は後記する球入口８が該球誘導筒５の下端開口に合致するようにしてベース部材１に取り付けられる球払出装置である。また、球払出装置６の下方に該球払出装置６から払い出される遊技球をパチンコ遊技機Ｐの前面に装着された球皿（図示せず。）に導くための排出樋７が設けられている。
【００１３】
次に、球払出装置６について説明する。図２は正面側から見た球払出装置の斜視図、図３は一方の蓋部材を外し正面側から見た球払出装置の斜視図、図４は他方の蓋部材を外し正面側から見た球払出装置の斜視図、図５は一方の側面断面図、図６は他方の側面断面図、図７は一方の蓋部材を取り付ける状態を示す球払出装置の側面図、図８は両蓋部材を取り付ける状態を示す球払出装置の平面断面図、図９は両蓋部材を取り付けた状態を示す球払出装置の平面断面図である。
【００１４】
球払出装置６は合成樹脂製であって縦長のケース本体６ａからなり、その上端面に２個の球入口８，８が開設される。そして、内部の上部に前記各球入口８，８と連通する２条の球通路部９，９が成形されている。各球通路部９はその通路幅方向の断面が方形状をなし、上部の直線部位９ａと下部の屈曲部位９ｂとからなる。各球通路部９の下端には連続して分岐部１０が成形され、更に、該各分岐部１０の下端に連続して払出通路部１１が成形され、各払出通路部１１の下端が下面に開設された球出口１２に連通している。前記分岐部１０には球抜口１３を介して連通する球抜き通路部１４が成形される。
【００１５】
前記各球通路部９の直線部位９ａには一側壁に切欠開口１５が設けられ、該各切欠開口１５に、上端で軸支されて自在に揺動し各球通路部９内に遊技球が供給されているか否か検出するための検知部材１６が配置される。各検知部材１６は、その下部が自重により各球通路部９の直線部位９ａ内に少し臨むようになっている。このとき、各検知部材１６の一側に設けられた突片１７が、各検知部材１６に対向位置して配設された配線基板１８に一体に設けられ投光部と受光部とを有する二股状の光センサ１９内に介入している。そして、各球通路部９に遊技球が供給され満たされているときは、各検知部材１６が遊技球に押され各球通路部９内から後退して突片１７を跳ね上げる。これにより、各光センサ１９がオン状態になり各球通路部９内に遊技球が有ることを知らせる。一方、各球通路部９内に遊技球が無くなると、各検知部材１６の下部が各球通路部９内に前進すると共に各突片１７が各光センサ１９内に介入してオフ状態になり、遊技球が無いことを知らせる。
【００１６】
前記分岐部１０には、球抜口１３を開閉する切替え弁２０が配置される。この切替え弁２０は、上端で軸支され自在に揺動するようになっている。また、切替え弁２０の後面上部にほぼ水平な制止片２１ａが突設され、下端部には側方へ突出する係止ピン２１ｂが設けられる。該係止ピン２１ｂは、ケース体６ａの外周面に開設された弧状のガイド孔２２に嵌入している。一方、切替え弁２０の後側に近接させて該切替え弁２０を回動不能に規制するロック部材２３が配置される。このロック部材２３は、側面コ字状に成形され、ケース本体６ａ内に一体に成形された溝部２４内を前後方向へ摺動して切替え弁２０側へ自在に接離できるようになっている。また、ロック部材２３にはケース本体６ａの外周面に設けられた横長孔２５から外側へ突出する操作杆２６が設けられ、外部から手でロック部材２３が操作できるようになっている。そこで、通常の遊技中では、ロック部材２３が切替え弁２０側へ摺動して制止片２１ａの上面に係合し、切替え弁２０により球抜口１３が塞がれている。
【００１７】
前記分岐部１０の僅か下方に各球通路部９を流下する遊技球を所定数に区切って排出する送出機構２７が配設される。送出機構２７は、水平な支軸３０ａによって鉛直面内で回転する回転体３０と該回転体３０の両側面に突設され一直線上に並ぶ二枚の羽根２９とからなり、一直線状の各羽根２９が各球通路部９に対応位置ししかも一直線状に並ぶ二枚の羽根２９，２９は９０度位置をずらせてある。そして、回転体３０が所定方向へ回転することにより、各球通路部９の遊技球が交互に払い出されるようになっている。また、回転体３０のやや上方に駆動モータ３１が配置され、前記回転体３０の支軸３０ａに取着した歯車３２と前記駆動モータ３１の駆動軸３１ａに取着した歯車３３とが大径歯車３４を介して連係される。
【００１８】
前記回転体３０の支軸３０ａに外周縁に遮蔽片５５を９０度置きに法線方向へ突設した計数板５６が取着され、その近傍に配線基板５７が配置されている。この配線基板５７には投光部と受光部とを有する光センサ５８が突設され、前記各遮蔽片５５が計数板５６の回転動作と共に光センサ５８内に介入するようになっている。そこで、駆動モータ３１の回転と共に回転体３０が回転し、これに伴いパチンコ球が払い出される訳であるが、各遮蔽片５５が光センサ５８内を通過することによりカウントして所定量のパチンコ球数が払い出されるようになっている。よって、所定量のパチンコ球が払い出されたときは、その信号を受けて駆動モータ３１が停止する。
【００１９】
前記回転体３０と対向位置して球検出器３５が配置され、回転体３０により排出された遊技球の個数を計数するようにしている。払出通路部１１は一本であり、回転体３０から排出される遊技球は合流して払出通路部１１へ排出される。また、払出通路部１１内の下部一側に切欠部３６が開設され、該切欠部３６に払出通路部１１内に溢出した遊技球を検出するための検出板３７が設けられる。該検出板３７は上端部で軸支されて自在に揺動し、常態では払出通路部１１内に一部臨ませて停止される。検出板３７の一側に上方へ突出する検知板部３８が設けられ、検出板３７が溢出した遊技球により押されて回動し払出通路部１１から後退すると、前記検知板部３８が該検知板部３８に近接して配置される光センサ３９内に介入し、払出通路部１１内に遊技球が溢出したのを知らせる。
【００２０】
ケース本体６ａの前面両側の上端にそれぞれ上方を向く爪４０，４０が設けられ、後面下端部のほぼ中央に鉛直な係止片４１が突設されている。一方、ベース部材１の背面であって球払出装置６を配置する部位には、上部に前記各爪４０を係合させる係合凹部４２，４２が設けられ、下部に前記ケース本体６ａを載せる受台４３が設けられる。この受台４３は前記排出樋７の上端に配置され、図示は省略するがこの受台４３に開設される開口がケース本体６ａ下端の球出口１２と連通するようになる。また、該受台４３の下側に下端部を軸支され鉛直面内で側方に回動し得る固定部材４４が配置される。そして、上端両側の爪４０，４０を係合凹部４２，４２に挿入し、ケース本体６ａの下部を受台４３上面に滑り込ませる。この状態で固定部材４４を回動させ、その上面を係止片４１の下面に当接して係止させる。これにより、球払出装置６が取り付けられ、球誘導筒５の下端が上面の各球入口８と連通し、下面の球出口１２が排出樋７の上端面と連通する。
【００２１】
そこで、球タンク３から傾斜樋４を介して供給される遊技球は各球通路部９，９内に流入する。そして、最下端の遊技球が回転体３０の羽根２９に受け止められて停止している。この状態で、入賞球の発生が検出されると、計数板５６により制御されつつ駆動モータ３１が回転して所定個数の遊技球を払出通路部１１へ払い出す。払い出された遊技球は球検出器３５により検出されてカウントされる。一方、ホールの営業終了後に球抜きする場合は、ベース部材１の背面側から操作杆２６を摘んでロック部材２３を切替え弁２０から離れるように摺動させ、制止片２１ａとロック部材２３との係合を解く。これにより、切替え弁２０が球圧に押されて回動し球抜口１３を開放することとなって球抜きが行なえる。終了後は、再びロック部材２３を切替え弁２０側へ摺動させて、制止片２１ａに係合させる。
【００２２】
本発明では、前記送出機構２７より上方である各球通路部９の屈曲部位９ｂであって、
その内の正面外側の隅角部に隣り合う通路壁２８ａ，２８ｂが共に切除されるようにして外部と連通する開口溝４６が開設される。各開口溝４６は、球詰まりを解消したり異物を除去するためのものであって屈曲部位９ｂの隅角部全体に亘り成形され、各球通路部９の隅角部の前面側と側面側が共に切り欠かれている。例えば、各開口溝４６を球払出装置６の正面から見てその幅がほぼ４ｍｍ、また、球払出装置６の側面から見てその幅がほぼ４ｍｍに設定される。ただ、各球通路部９を流下する遊技球はその開口溝４６から飛び出るようなことはなく、遊技球はいずれかの通路壁面に接するようにして流下するようになっている。各開口溝４６の上下の隅角部にそれぞれ係合凹部４７が設けられ、中間部の近傍にネジ孔４８を有するボス４９が突設される。
【００２３】
各開口溝４６には、これら開口溝４６を塞ぐ蓋部材５０が着脱自在に取り付けられる。各蓋部材５０は、その後側縁の形状が各球通路部９の屈曲部位９ｂに合致するようにその形状が選ばれ、各開口溝４６の正面を覆う正面板部５１ａと各開口溝４６の側面を覆う側面板部５１ｂとから平断面Ｌ型に成形される。そして、上下端部に前記各係合凹部４７に係合する係合凸部５２が設けられ、中央部には前記ボス４９のネジ孔４８に対応位置するネジ挿通孔５３が設けられている。
【００２４】
そして、上下の係合凸部５２，５２を各係合凹部４７に係合させて各蓋部材５０を各開口溝４６に合致させ、この状態で、ネジ孔４８にネジ挿通孔５３を介してネジ５４を螺締することにより、各蓋部材５０が各開口溝４６を塞ぐようにして取り付けられる。このとき、各球通路部９を流下する遊技球が各蓋部材５０に接触するようなことはない。よって、各蓋部材５０には球荷重が加わるようなことはなくなるので、頑強な構造とする必要性がなく、これによりその取付構造が簡単になって製作も容易になる。
【００２５】
本発明は、常態では蓋部材５０を取り付けて各開口溝４６がそれぞれ被覆されており、各開口溝４６を介して各球通路部９内に外部からゴミが侵入するのを阻止できる。また、各球通路部９、特にその屈曲部位９ｂ、内で球詰まりが起きたりビス等の異物が混入した場合は、前記ネジ５４を外していずれかの蓋部材５０を取り外した状態で、開口溝４６を介して線状物等の掃除具を球通路部９内に挿入して球詰まりを解消したり、異物を除去する。この実施の形態では、開口溝４６が球通路部９内の隅角部に開設されているが、球通路部９の通路幅方向のほぼ中央に沿って開口溝４６を開設するようにしても良い。
【００２６】
更に、各球通路部９の通路壁を掃除する場合は、各蓋部材５０を外した状態で、開口溝４６を介して両側の隣り合う通路壁２８ａ，２８ｂの内面を含め全体に掃除具が届き、球通路部９内の掃除が容易にかつ綺麗に行なえる。
【００２７】
本実施の形態では、球通路部９が屈曲部位９ｂを有する場合を説明したが、屈曲部位９ｂを有さない球通路部９であっても本発明は適用できる。また、開口溝４６は隅角部全体に連続して開設するようにしたが、隅角部全体に断続的に開設するようにしても良い。
【図面の簡単な説明】
【００２８】
【図１】本発明が適用されるパチンコ遊技機の背面図。
【図２】正面側から見た球払出装置の斜視図。
【図３】一方の蓋部材を外し正面側から見た球払出装置の斜視図。
【図４】他方の蓋部材を外し正面側から見た球払出装置の斜視図。
【図５】一方の側面断面図。
【図６】他方の側面断面図。
【図７】一方の蓋部材を取り付ける状態を示す球払出装置の側面図。
【図８】両蓋部材を取り付ける状態を示す球払出装置の平面断面図。
【図９】両蓋部材を取り付けた状態を示す球払出装置の平面断面図。
【符号の説明】
【００２９】
６              球払出装置
６ａ            ケース本体
９              球通路部
２７            送出機構
４６            開口溝
５０            蓋部材
Ｐ              弾球遊技機（パチンコ遊技機）
【図１】
2006247142.tif 000003
【図２】
2006247142.tif 000004
【図３】
2006247142.tif 000005
【図４】
2006247142.tif 000006
【図５】
2006247142.tif 000007
【図６】
2006247142.tif 000008
【図７】
2006247142.tif 000009
【図８】
2006247142.tif 000010
【図９】
2006247142.tif 000011